(57)【特許請求の範囲】
【請求項１】
互いに連接した複数枚のシート状の吊下げ具本体を有し、
それぞれの吊下げ具本体には、
それぞれの吊下げ具本体を吊下げ用フックに吊り下げ可能とする吊下げ用開口窓と、
取付け用貫通孔を形成している収納容器に収容した被吊下げ物品を取り付け可能な物品取付け部と、
それぞれの吊下げ具本体の位置を検出するための位置検出用マークと、を形成するとともに、
前記吊下げ具本体は、
ＩＣチップおよびＲＦＩＤアンテナを有して、前記被吊下げ物品に関する情報について無線によるデータ通信が可能なＲＦＩＤインレイを取り付け可能なインレイ取付け領域と、
このインレイ取付け領域を前記吊下げ具本体の表面から立体的に立ち上げ可能とする立体形成領域と、
を有するとともに、
前記位置検出用マークを検出する位置検出用センサーと、サーマルヘッドと、プラテンローラーとを有し、プラテンローラーの回転駆動にともなってサーマルヘッドからの印字データの出力により任意の情報を印字するサーマルプリンターに装填して表面に必要な情報を印字可能であることを特徴とすることを特徴とする物品吊下げ具連続体。
【請求項２】
前記立体形成領域は、
前記吊下げ具本体の上方部において設けた折曲げ線により画成した第１の領域と、
前記吊下げ具本体に形成した固定用係合溝に係合可能な固定用係合片を形成してこの第１の領域を前記吊下げ具本体の表面から立体的に立ち上げた姿勢を保持可能とする第２の領域と、を有するとともに、
この第２の領域あるいは前記第１の領域のいずれか一方を前記インレイ取付け領域とすることを特徴とする請求項１記載の物品吊下げ具連続体。
【請求項３】
前記吊下げ用開口窓は、
前記吊下げ具本体の縁部からその幅方向中心部に至る縁部開口窓と、
この縁部開口窓に連続しているとともに前記吊り下げ用フックに引っ掛け可能な中心開口窓と、を有することを特徴とする請求項１に記載の物品吊下げ具連続体。
【請求項４】
前記物品取付け部は、
前記吊下げ具本体の下方部における物品取付け領域であって、
連続して蛇行する山形溝部および谷形溝部を交互に配置することにより形成した、前記収納容器の前記取付け用貫通孔に挿通可能な中央山形取付け片と、この中央山形取付け片の両側において左右に位置する隣接山形押さえ片と、を有することを特徴とする請求項１に記載の物品吊下げ具連続体。
【請求項５】
前記物品取付け部は、
前記吊下げ具本体の下方部における物品取付け領域であって、
連続した切り溝による山形溝部を配置することにより形成した、前記収納容器の前記取付け用貫通孔に挿通可能な中央山形取付け片を有することを特徴とする請求項１に記載の物品吊下げ具連続体。
【請求項６】
前記折曲げ線は、
前記第１の領域および前記第２の領域を画成する第１の折曲げ線および第２の折曲げ線を有することを特徴とする請求項２に記載の物品吊下げ具連続体。
【請求項７】
互いに連接した複数枚のシート状の吊下げ具本体を有し、
それぞれの吊下げ具本体に、
それぞれの吊下げ具本体を吊下げ用フックに吊り下げ可能とする吊下げ用開口窓と、
取付け用貫通孔を形成しているとともに被吊下げ物品を収容した収納容器を取り付け可能な物品取付け部と、を形成した物品吊下げ具の使用方法であって、
それぞれの吊下げ具本体には、
それぞれの吊下げ具本体の位置を検出するための位置検出用マークと、
ＩＣチップおよびＲＦＩＤアンテナを有して、前記被吊下げ物品に関する情報について無線によるデータ通信が可能なＲＦＩＤインレイを取り付け可能なインレイ取付け領域と、
このインレイ取付け領域を前記吊下げ具本体の表面から立体的に立ち上げ可能とする立体形成領域と、
を設けてあり、
それぞれの立体形成領域には、
前記吊下げ具本体の上方部において設けた折曲げ線により画成した第１の領域と、
前記吊下げ具本体に形成した固定用係合溝に係合可能な固定用係合片を形成してこの第１の領域を前記吊下げ具本体の表面から立体的に立ち上げた姿勢を保持可能とする第２の領域と、を設けてあるとともに、
この第２の領域あるいは前記第１の領域のいずれか一方を前記インレイ取付け領域とした物品吊下げ具連続体を
前記物品吊下げ具連続体の位置検出用マークを検出する位置検出用センサーと、サーマルヘッドと、プラテンローラーとを有し、プラテンローラーの回転駆動にともなってサーマルヘッドからの印字データの出力により任意の情報を印字するサーマルプリンターに装填し、
前記位置検出用マークを検出してそれぞれの物品吊下げ具の表面に必要な情報を印字し、
印字した物品吊下げ具連続体を単葉の物品吊下げ具に切断した後、
前記折曲げ線において前記吊下げ具本体を折り曲げるとともに、前記固定用係合片を前記固定用係合溝に係合して、前記インレイ取付け領域を前記吊下げ具本体の表面から立体的に立ち上げた姿勢を保持した状態で、前記吊下げ具本体を前記吊下げ用フックに吊り下げることを特徴とする物品吊下げ具連続体の使用方法。
【発明の詳細な説明】
【技術分野】
【０００１】
本発明は物品吊下げ具連続体、物品吊下げ具およびその使用方法にかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）インレイを備えて商品その他各種物品の陳列販売や管理に利用可能な物品吊下げ具連続体、物品吊下げ具およびその使用方法に関するものである。
【背景技術】
【０００２】
従来から、ＩＣチップおよびＲＦＩＤアンテナを有して無線によりデータの書込みおよび読取りを行うことができるＲＦＩＤタグやＲＦＩＤラベルを各種物品に取り付け、これら物品ついての各種データの読み書きを行って、必要なデータ管理など諸々の分野に利用している。
【０００３】
たとえば、小売店などにおいて、商品を容れた商品パッケージ（収納容器）を吊下げ用フックなどに吊り下げて陳列販売することが行われている。
図１０は、従来からの商品パッケージ１の正面図であって、商品パッケージ１は、その上部に円形状の取付け用貫通孔２を形成しているとともに商品Ｍ（被吊下げ物品）を収納し、さらにＲＦＩＤインレイ３を商品パッケージ１にラベルあるいはタグの形態として取り付けている。
【０００４】
ＲＦＩＤインレイ３は、ＩＣチップ４およびＲＦＩＤアンテナ５と、を有する。
ＲＦＩＤインレイ３は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９３０ＭＨｚ、９５０〜９５６ＭＨｚ）やマイクロ波（１〜３０ＧＨｚ、具体的には２．４５ＧＨｚ）、ＨＦ帯（３ＭＨｚ〜３０ＭＨｚ（好ましくは１３．５６ＭＨｚ））あるいは１３５ｋＨｚ以下など、その他、所定の周波数帯の電波および電磁的作用などにより、ＲＦＩＤアンテナ５を介してＩＣチップ４に必要なデータの無線による読み取りおよび書き込み（データ通信）を行う。
ただし、それぞれの使用電波に応じてＩＣチップ４およびＲＦＩＤアンテナ５の具体的構成を適正なものとしている。
【０００５】
図１１は、商品パッケージ１の陳列状態を示す側面図であって、陳列棚６から突出させた吊下げ用フック７（ストレートフック）に取付け用貫通孔２を通して、複数個の商品パッケージ１を陳列し、小売店における販売管理や在庫管理に利用している。
【０００６】
しかしながら、ＲＦＩＤインレイ３を商品パッケージ１に直接取り付け（あるいは貼り付け）ていることから、ＲＦＩＤインレイ３の取付け部位や姿勢が商品パッケージ１（商品Ｍ）ごとにばらつくために、とくにＲＦＩＤインレイ３のデータを読み取って在庫管理などを行う場合に、在庫管理用のリーダーライター（図示せず）のリーダーライターアンテナ８とＲＦＩＤインレイ３との相対姿勢が互いにほぼ直交しているためＲＦＩＤインレイ３との間のデータ読取り精度が低下すること、したがって、複数個の商品パッケージ１のデータを一括して読み取りしにくいこと、という問題がある。
また、商品パッケージ１内部の商品Ｍが金属製の場合には、ＲＦＩＤインレイ３が近接している金属の影響を受けて無線データ読取りの精度が低下するという問題がある。
【０００７】
さらに、購買者が吊下げ用フック７の奥側の商品Ｍを取り出したいときには、手前にある商品Ｍを一度取り外す必要があり、不便であるという問題がある。
もちろん、図１０に仮想線で示すように、取付け用貫通孔２自体を外縁部に連通する連続孔２Ａとすれば、上記問題は解消されるが、一般的に販売用として利用されているすべての商品パッケージ１が連続孔２Ａの形態を採用しているわけではなく、小売店としての対応を迫られているのが実情である。
また、商品パッケージ１が薄いものである場合には、吊下げ用フック７上で複数の商品パッケージ１が密に重なって商品Ｍを確認しにくくなるほか、ＲＦＩＤインレイ３どうしが重なるとデータ通信ができなくなるという問題がある。
【０００８】
上述のような諸問題は、小売店などにおける商品の陳列販売に限らず、医療機関において各種の医療機器あるいは機材や薬品の保管管理にも同様のシステムを採用する場合はもちろん、その他の分野における物品の陳列、保管管理についても、同様の諸問題が発生する可能性がある。
【先行技術文献】
【特許文献】
【０００９】
【特許文献１】実開平３−８６５号公報
【発明の概要】
【発明が解決しようとする課題】
【００１０】
本発明は以上のような諸問題にかんがみなされたもので、吊下げ用フックと商品など物品の収納容器との間に介在させて物品を吊り下げておくことができる物品吊下げ具連続体、物品吊下げ具およびその使用方法を提供することを課題とする。
【００１１】
また本発明は、吊下げ用フックに吊り下げられている物品の順序にかかわらず着脱自在とした物品吊下げ具連続体、物品吊下げ具およびその使用方法を提供することを課題とする。
【００１２】
また本発明は、各ＲＦＩＤインレイの姿勢を均等に統一可能で、その読取り操作を確実にするとともにその精度も向上可能な物品吊下げ具連続体、物品吊下げ具およびその使用方法を提供することを課題とする。
【００１３】
また本発明は、在庫管理などにおいて一括読取り操作を可能とした物品吊下げ具連続体、物品吊下げ具およびその使用方法を提供することを課題とする。
【００１４】
また本発明は、複数個の商品その他の物品が重なり合っている場合であっても、それぞれの収納容器の間に所定の間隔を確保可能な物品吊下げ具連続体、物品吊下げ具およびその使用方法を提供することを課題とする。
【００１５】
また本発明は、収納容器内部の商品などの物品の特性（たとえば材料が金属など）に影響されずにデータ読取り操作を可能とした物品吊下げ具連続体、物品吊下げ具およびその使用方法を提供することを課題とする。
【課題を解決するための手段】
【００１６】
すなわち本発明は、ＲＦＩＤインレイを取り付け可能なインレイ取付け領域を設けること、および、このインレイ取付け領域を吊下げ具本体の表面から立体的に立ち上げ可能とすることに着目したもので、第一の発明は、シート状の吊下げ具本体を有し、この吊下げ具本体に、この吊下げ具本体を吊下げ用フックに吊り下げ可能とする吊下げ用開口窓と、取付け用貫通孔を形成しているとともに被吊下げ物品を収容した収納容器を取り付け可能な物品取付け部と、を形成した物品吊下げ具であって、上記吊下げ具本体は、ＩＣチップおよびＲＦＩＤアンテナを有して、上記被吊下げ物品に関する情報について無線によるデータ通信が可能なＲＦＩＤインレイを取り付け可能なインレイ取付け領域と、このインレイ取付け領域を上記吊下げ具本体の表面から立体的に立ち上げ可能とする立体形成領域と、を有することを特徴とする物品吊下げ具である。
第二の発明は、互いに連接した複数枚のシート状の吊下げ具本体を有し、それぞれの吊下げ具本体には、それぞれの吊下げ具本体を吊下げ用フックに吊り下げ可能とする吊下げ用開口窓と、取付け用貫通孔を形成している収納容器に収容した被吊下げ物品を取り付け可能な物品取付け部と、を形成するとともに、上記吊下げ具本体は、ＩＣチップおよびＲＦＩＤアンテナを有して、上記被吊下げ物品に関する情報について無線によるデータ通信が可能なＲＦＩＤインレイを取り付け可能なインレイ取付け領域と、このインレイ取付け領域を上記吊下げ具本体の表面から立体的に立ち上げ可能とする立体形成領域と、を有することを特徴とすることを特徴とする物品吊下げ具連続体である。
第三の発明は、シート状の吊下げ具本体を有し、この吊下げ具本体に、この吊下げ具本体を吊下げ用フックに吊り下げ可能とする吊下げ用開口窓と、取付け用貫通孔を形成しているとともに被吊下げ物品を収容した収納容器を取り付け可能な物品取付け部と、を形成した物品吊下げ具の使用方法であって、上記吊下げ具本体には、ＩＣチップおよびＲＦＩＤアンテナを有して、上記被吊下げ物品に関する情報について無線によるデータ通信が可能なＲＦＩＤインレイを取り付け可能なインレイ取付け領域と、このインレイ取付け領域を上記吊下げ具本体の表面から立体的に立ち上げ可能とする立体形成領域と、を設けてあり、上記立体形成領域には、上記吊下げ具本体の上方部において設けた折曲げ線により画成した第１の領域と、上記吊下げ具本体に形成した固定用係合溝に係合可能な固定用係合片を形成してこの第１の領域を上記吊下げ具本体の表面から立体的に立ち上げた姿勢を保持可能とする第２の領域と、を設けてあるとともに、この第２の領域あるいは上記第１の領域のいずれか一方を上記インレイ取付け領域とし、上記折曲げ線において上記吊下げ具本体を折り曲げるとともに、上記固定用係合を上記固定用係合溝に係合して、上記インレイ取付け領域を上記吊下げ具本体の表面から立体的に立ち上げた姿勢を保持した状態で、上記吊下げ具本体を上記吊下げ用フックに吊り下げることを特徴とする物品吊下げ具の使用方法である。
上記立体形成領域は、上記吊下げ具本体の上方部において設けた折曲げ線により画成した第１の領域と、上記吊下げ具本体に形成した固定用係合溝に係合可能な固定用係合片を形成してこの第１の領域を上記吊下げ具本体の表面から立体的に立ち上げた姿勢を保持可能とする第２の領域と、を有するとともに、この第２の領域あるいは上記第１の領域のいずれか一方を上記インレイ取付け領域とすることができる。
上記吊下げ用開口窓は、上記吊下げ具本体の縁部からその幅方向中心部に至る縁部開口窓と、この縁部開口窓に連続しているとともに上記吊り下げ用フックに引っ掛け可能な中心開口窓と、を有することができる。
上記物品取付け部は、上記吊下げ具本体の下方部における物品取付け領域であって、連続して蛇行する山形溝部および谷形溝部を交互に配置することにより形成した、上記収納容器の上記取付け用貫通孔に挿通可能な中央山形取付け片と、この中央山形取付け片の両側において左右に位置する隣接山形押さえ片と、を有することができる。
上記物品取付け部は、上記吊下げ具本体の下方部における物品取付け領域であって、連続した切り溝による山形溝部を配置することにより形成した、上記収納容器の上記取付け用貫通孔に挿通可能な中央山形取付け片を有することができる。
上記折曲げ線は、上記第１の領域および上記第２の領域を画成する第１の折曲げ線および第２の折曲げ線を有することができる。
【発明の効果】
【００１７】
本発明による物品吊下げ具連続体、物品吊下げ具およびその使用方法においては、被吊下げ物品に関する情報について無線によるデータ通信が可能なＲＦＩＤインレイを取り付け可能なインレイ取付け領域を吊下げ具本体の表面から立体的に立ち上げ可能としたので、商品などの被吊下げ物品と陳列棚ないし保管棚との間に介在させて、ＲＦＩＤインレイを所定の姿勢に均等に保持することができ、データ読取り操作を安定化かつ確実化することができる。
【００１８】
とくに第一の発明の物品吊下げ具によれば、インレイ取付け領域と立体形成領域とを有するので、商品その他の物品を吊り下げることができるとともに、ＲＦＩＤインレイを介して物品に関する各種情報の管理を行うことができる。
【００１９】
とくに第二の発明の物品吊下げ具連続体によれば、複数枚の上記物品吊下げ具を連接した構成であるので、任意のプリンターにこれを装填して、必要な情報を印字した上で物品の吊下げに利用することができる。
【００２０】
とくに第三の発明の物品吊下げ具の使用方法によれば、折曲げ線において吊下げ具本体を折り曲げるとともに、固定用係合を固定用係合溝に係合して、インレイ取付け領域を吊下げ具本体の表面から立体的に立ち上げた姿勢を保持した状態で、吊下げ具本体を吊下げ用フックに吊り下げることができ、ＲＦＩＤインレイを収納容器（たとえば、商品などの商品パッケージ）に対して一定の姿勢で取り付けた状態での吊下げ状態を実現し、データ通信を安定かつ確実に行うことができるとともに、吊下げ作業を効率よく行うことができる。
【図面の簡単な説明】
【００２１】
【図１】本発明の実施例による物品吊下げ具１０の平面図である。
【図２】本発明の実施例による物品吊下げ具連続体３０の平面図である。
【図３】同、物品吊下げ具連続体３０を装填して、任意の情報を物品吊下げ具１０に印字する任意の印字方式によるプリンター（たとえば、サーマルプリンター３２）の概略側面図である。
【図４】同、中央山形取付け片２５を商品パッケージ１の取付け用貫通孔２に挿通する操作を示す斜視図である。
【図５】同、中央山形取付け片２５の左右の隣接山形取付け片２６を商品パッケージ１の上端縁をこして商品パッケージ１の上から押さえ付ける操作を示す斜視図である。
【図６】同、取付け用貫通孔２に挿通した中央山形取付け片２５および商品パッケージ１を押さえた隣接山形取付け片２６により商品パッケージ１を物品取付け領域１４に取り付けた状態を示す正面図である。
【図７】同、物品吊下げ具１０に商品パッケージ１を取り付けた状態で吊下げ用フック７に吊り下げた状態を示す斜視図である。
【図８】同、複数個の商品パッケージ１を複数個の物品吊下げ具１０により陳列棚６の吊下げ用フック７にそれぞれ吊り下げた状態の側面図である。
【図９】同、溝部の変形例を示すもので、図９（１）は、第１の変形例による溝部を有する物品吊下げ具５１の平面図、図９（２）は、第２の変形例による溝部を有する物品吊下げ具５２の平面図、図９（３）は、第３の変形例による溝部を有する物品吊下げ具５３の平面図である。
【図１０】従来からの商品パッケージ１の正面図である。
【図１１】同、商品パッケージ１の陳列状態を示す側面図である。
【発明を実施するための形態】
【００２２】
本発明は、ＲＦＩＤインレイを吊下げ具本体に立体的に取り付けた状態で商品その他の物品を吊り下げることができ、物品の在庫管理などにおけるデータ通信を確実かつ簡単に実行することができる物品吊下げ具連続体、物品吊下げ具およびその使用方法を実現した。
【実施例】
【００２３】
つぎに本発明の実施例による物品吊下げ具連続体３０、物品吊下げ具１０およびその使用方法を図１ないし図８にもとづき説明する。ただし、図１０および図１１と同様の部分には同一符号を付し、その詳述はこれを省略する。
図１は、物品吊下げ具１０の平面図であって、物品吊下げ具１０は、シート状の吊下げ具本体１１を有し、図１の上方側から順に、吊下げ具本体１１の上方部における立体形成領域１２と、開口領域１３と、吊下げ具本体１１の下方部における物品取付け領域１４と、を有する。
【００２４】
吊下げ具本体１１は、樹脂シートなど任意の弾力性および剛性を有する材料から打抜き加工などにより、図示のような外形にこれを形成している。
【００２５】
立体形成領域１２は、保持用領域１５と、インレイ取付け領域１６と、固定領域１７と、を有し、インレイ取付け領域１６を吊下げ具本体１１の他の表面（開口領域１３および物品取付け領域１４）から立体的に立ち上げ可能とする。
【００２６】
保持用領域１５およびインレイ取付け領域１６は、吊下げ具本体１１の上方部において設けた筋押し加工あるいはミシン目加工などによる折曲げ線（第１の折曲げ線１８、第２の折曲げ線１９）により画成した第１の領域および第２の領域である。
本発明においては、第１の領域および第２の領域のいずれか一方をインレイ取付け領域１６とすることができる。
図示の例では、保持用領域１５を第２の領域としてあり、吊下げ具本体１１の固定領域１７に形成した固定用係合溝２０に係合可能な固定用係合片２１を形成し、インレイ取付け領域１６を吊下げ具本体１１の表面から立体的に立ち上げた姿勢を保持可能とする。
また、インレイ取付け領域１６を第１の領域としてあり、インレイ取付け領域１６の表面あるいは裏面のいずれか一方の面（図示の例では表面、立体的に折り曲げた状態では内面側、図７を参照）に前記ＲＦＩＤインレイ３を取り付けている。
さらに、第２の領域である保持用領域１５の表面あるいは裏面のいずれか一方の面にＲＦＩＤインレイ３を取り付けて、保持用領域１５をインレイ取付け領域として兼用することもできる。
なお、上記ＲＦＩＤインレイ３は、前述のように、ＩＣチップ４およびＲＦＩＤアンテナ５を有して、商品Ｍ（被吊下げ物品）に関する情報について無線によるデータ通信が可能である。
【００２７】
開口領域１３には、吊下げ具本体１１を前記吊下げ用フック７に吊り下げ可能とする吊下げ用開口窓２２を形成してある。
吊下げ用開口窓２２は、吊下げ具本体１１の縁部からその幅方向中心部に至る縁部開口窓２２Ａと、この縁部開口窓２２Ａに連続しているとともに吊下げ具本体１１の中心部に位置して吊り下げ用フック７に引っ掛け可能な中心開口窓２２Ｂと、からこれを形成している。
【００２８】
物品取付け領域１４は、前記取付け用貫通孔２を形成しているとともに被吊下げ物品（前記商品Ｍ）を収容した収納容器（前記商品パッケージ１）を取り付け可能な物品取付け部である。
物品取付け領域１４は、たとえばサインカーブ状に連続して蛇行する山形溝部２３および谷形溝部２４を交互に配置することにより形成した、ともに細長三角形状の中央山形取付け片２５および左右一対の隣接山形押さえ片２６を有する。
山形溝部２３および谷形溝部２４の幅は、たとえばこれを約２〜３ｍｍとして、後述する商品パッケージ１の取付け操作を容易とするとともに、厚さのある商品パッケージ１の取付け（吊下げ）も可能とする。
【００２９】
本発明においては、この物品吊下げ具１０を複数枚連接して帯状の物品吊下げ具連続体３０として構成することもできる。
図２は、物品吊下げ具連続体３０の平面図であって、物品吊下げ具連続体３０は、互いに連接した複数枚のシート状の吊下げ具本体１１を有し、それぞれの吊下げ具本体１１には、上述した構成の立体形成領域１２、開口領域１３および物品取付け領域１４を形成している。
【００３０】
なお、各物品吊下げ具１０の裏面には、位置検出用マーク３１をあらかじめ印刷してあり、任意のプリンター（たとえば、サーマルプリンター３２、図３）に物品吊下げ具連続体３０を装填して、必要に応じて任意の情報をそれぞれの物品吊下げ具１０に印字することができる。
上記位置検出用マーク３１のほか、物品吊下げ具１０の表裏面に、必要に応じて、品名、ロゴ、各種文書などを印刷しておいてもよい。
【００３１】
図３は、この物品吊下げ具連続体３０を装填して、任意の情報を物品吊下げ具１０に印字する任意の印字方式によるプリンター（たとえば、サーマルプリンター３２）の概略側面図であって、サーマルプリンター３２は、物品吊下げ具連続体３０の供給部３３と、検出部３４と、印字部３５と、を有する。
【００３２】
供給部３３は、帯状の物品吊下げ具連続体３０をロール状に巻いた状態で保持し、検出部３４および印字部３５方向に帯状に繰り出し可能とする。
【００３３】
検出部３４は、光反射方式、光透過方式その他任意の検出方式による位置検出用センサー３６を有し、物品吊下げ具連続体３０の位置検出用マーク３１を検出する。
【００３４】
印字部３５は、サーマルヘッド３７と、プラテンローラー３８と、熱転写インキリボン３９の供給軸４０および巻取り軸４１と、を有し、プラテンローラー３８の回転駆動にともなってサーマルヘッド３７からの印字データの出力により、物品吊下げ具連続体３０の表面に必要な情報を印字可能である。
【００３５】
なお、必要であれば、印字部３５の下流側に切断部４２を設けて、印字済みの物品吊下げ具連続体３０を単葉の物品吊下げ具１０に切断するように構成することもできる。
【００３６】
こうした構成の物品吊下げ具連続体３０および物品吊下げ具１０の使用方法について、図４ないし図８にもとづき説明する。
図４ないし図６は、物品取付け領域１４に被吊下げ物品（たとえば商品Ｍ）の収納容器（商品パッケージ１）を吊り下げる手順を示しており、図４は、中央山形取付け片２５を商品パッケージ１の取付け用貫通孔２に挿通する操作を示す斜視図、図５は、中央山形取付け片２５の左右の隣接山形取付け片２６を商品パッケージ１の上端縁をこして商品パッケージ１の上から押さえ付ける操作を示す斜視図、図６は、取付け用貫通孔２に挿通した中央山形取付け片２５および商品パッケージ１を押さえた隣接山形取付け片２６により商品パッケージ１を物品取付け領域１４に取り付けた状態を示す正面図である。
【００３７】
図４に示すように、吊下げ具本体１１が所定の弾性および剛性を有しているので、中央山形取付け片２５をたわませて商品パッケージ１の取付け用貫通孔２にまず挿入する。
図５に示すように、物品取付け領域１４全体を商品パッケージ１に対して傾斜するようにたわませ、左右の隣接山形取付け片２６が商品パッケージ１の上端縁をこえて中央山形取付け片２５側に出るように位置させ、左右の隣接山形取付け片２６を商品パッケージ１と係合させる。
かくして図６に示すように、物品取付け領域１４に商品パッケージ１を取り付けて、中央山形取付け片２５による吊り下げ可能な状態とすることができ、左右一対の隣接山形取付け片２６によって商品パッケージ１の傾斜ないし揺れを防止可能な状態とすることができる。
とくに中央山形取付け片２５および隣接山形取付け片２６の基端部側の幅を比較的大きく形成することにより、商品パッケージ１の揺れを防止して安定した吊下げ状態を維持可能である。
しかも、上述した中央山形取付け片２５および左右の隣接山形取付け片２６の弾性変形処理のみにより、物品取付け領域１４への商品パッケージ１の着脱操作を容易に行うことができる。
【００３８】
また、山形溝部２３および谷形溝部２４の幅を約２〜３ｍｍとしたので、中央山形取付け片２５および隣接山形取付け片２６の端部に指を引っ掛けてこれらを弾性変形させる操作が容易であり、商品パッケージ１の取付け操作を容易とするとともに、取付け用貫通孔２を形成した部分が厚くなっている商品パッケージ１の取付け（吊下げ）も可能とする。
【００３９】
図７は、物品吊下げ具１０に商品パッケージ１を取り付けた状態で吊下げ用フック７に吊り下げた状態を示す斜視図であって、立体形成領域１２における第１の折曲げ線１８および第２の折曲げ線１９の部分で保持用領域１５および固定領域１７が互いに接近するように折り曲げて、立体形成領域１２における保持用領域１５の固定用係合片２１を固定領域１７の固定用係合溝２０に係合して固定する。
かくして、立体形成領域１２の部分を側面から見ると三角形状の立体に組み立てることができ、インレイ取付け領域１６を吊下げ具本体１１の表面から立体的に立ち上げた姿勢（起立姿勢）に保持した状態で、その内部（インレイ取付け領域１６の裏面側）にＲＦＩＤインレイ３が位置している。
【００４０】
図８は、複数個の商品パッケージ１を複数個の物品吊下げ具１０により陳列棚６の吊下げ用フック７にそれぞれ吊り下げた状態の側面図であって、吊下げ用フック７上に商品パッケージ１を整然と整列した状態で、しかもそれぞれの商品パッケージ１の間に所定の間隔をあけた状態での陳列が可能である。
したがって、商品パッケージ１ないし商品Ｍの確認が容易であるとともに、在庫管理などにおいて、陳列棚６の屋根部４３に取り付けているリーダーライター（図示せず）の前記リーダーライターアンテナ８に対してＲＦＩＤインレイ３をほぼ平行に位置させることができて、リーダーライターアンテナ８との間で精度よくデータ通信が可能となる。
【００４１】
また、開口領域１３には、吊下げ具本体１１の縁部から中心部に至る開放状の吊下げ用開口窓２２（縁部開口窓２２Ａ、中心開口窓２２Ｂ）が形成されているので、吊下げ用フック７におけるどの商品パッケージ１も任意に取り出しが可能である。
さらに、商品Ｍの販売後には、当該物品吊下げ具１０を再利用することができる。
【００４２】
なお、図８に仮想線で示すように、保持用領域１５の部分にＲＦＩＤインレイ３を取り付けた構成も可能であり、リーダーライターアンテナ８が陳列棚６に対して斜めに位置している場合にも対応が可能である。
【００４３】
本発明における物品取付け領域１４に形成する蛇行状の溝部（山形溝部２３および谷形溝部２４など）には任意の変形例が可能である。
図９は、溝部の変形例を示すもので、図９（１）は、第１の変形例による溝部を有する物品吊下げ具５１の平面図、図９（２）は、第２の変形例による溝部を有する物品吊下げ具５２の平面図、図９（３）は、第３の変形例による溝部を有する物品吊下げ具５３の平面図である。
【００４４】
図９（１）に示すように、物品吊下げ具５１は、固定領域１７に形成した固定用係合溝２０と同様の固定用係合溝５４を形成して、保持用領域１５の固定用係合片２１と係合可能としている。ただし、固定用係合溝５４の幅は、単なる切り目のものと事実上同等であり、吊下げ具本体１１が薄い場合に好適である。
さらに物品吊下げ具５１は、物品取付け領域１４において山形溝部２３および谷形溝部２４と同様のサインカーブ形状の連続した溝部（山形溝部５５、谷形溝部５６）を形成することにより中央山形取付け片２５および隣接山形取付け片２６を有しているが、その幅は、単なる切り目のものと事実上同等であり、商品パッケージ１における取付け用貫通孔２の形成部分が薄い場合に好適である。
【００４５】
図９（２）に示すように、物品吊下げ具５２は、物品取付け領域１４において単一の山形溝部２３のみを形成しており、したがって、単一の中央山形取付け片２５のみを有し、商品パッケージ１の取付けおよび取外し操作がさらに容易である。
【００４６】
図９（３）に示すように、物品吊下げ具５３は、物品吊下げ具５１と同様の切り目による固定用係合溝５４および山形溝部５５、さらには中央山形取付け片２５を形成している。
【符号の説明】
【００４７】
１  商品パッケージ（収納容器、図８、図１０）
２  取付け用貫通孔
２Ａ  連続孔（図１０）
３  ＲＦＩＤインレイ
４  ＩＣチップ
５  ＲＦＩＤアンテナ
６  陳列棚
７  吊下げ用フック
８  リーダーライターアンテナ（図１１）
１０  物品吊下げ具（実施例、図１）
１１  シート状の吊下げ具本体
１２  立体形成領域
１３  開口領域
１４  物品取付け領域
１５  立体形成領域１２の保持用領域
１６  立体形成領域１２のインレイ取付け領域
１７  固定領域
１８  第１の折曲げ線
１９  第２の折曲げ線
２０  固定用係合溝
２１  固定用係合片
２２  吊下げ用開口窓
２２Ａ  吊下げ用開口窓２２の縁部開口窓
２２Ｂ  吊下げ用開口窓２２の中心開口窓
２３  山形溝部
２４  谷形溝部
２５  中央山形取付け片
２６  左右一対の隣接山形取付け片
３０  物品吊下げ具連続体（実施例、図２）
３１  位置検出用マーク
３２  サーマルプリンター（図３）
３３  供給部
３４  検出部
３５  印字部
３６  位置検出用センサー
３７  サーマルヘッド
３８  プラテンローラー
３９  熱転写インキリボン
４０  供給軸
４１  巻取り軸
４２  切断部
４３  屋根部（図８）
５１  物品吊下げ具（図９（１））
５２  物品吊下げ具（図９（２））
５３  物品吊下げ具（図９（３））
５４  固定用係合溝
５５  山形溝部
５６  谷形溝部
Ｍ    商品（被吊下げ物品）
【図１】
0005828729.tif 000002
【図２】
0005828729.tif 000003
【図３】
0005828729.tif 000004
【図４】
0005828729.tif 000005
【図５】
0005828729.tif 000006
【図６】
0005828729.tif 000007
【図７】
0005828729.tif 000008
【図８】
0005828729.tif 000009
【図９】
0005828729.tif 000010
【図１０】
0005828729.tif 000011
【図１１】
0005828729.tif 000012